(57)【要約】【課題】簡単な構成ながら、ユーザがエンコーダスケールに触れることを抑制可能な記録装置を提供する。【解決手段】記録装置１は、第１収容部３の開口部３１を開閉する第１カバーであるジャムカバー３３と、第２収容部４の開口部４１を開閉する第２カバーであるタンクカバー４７と、を備える。ジャムカバー３３は、ユーザがジャムカバー３３を開閉させる際に手指を挿入する挿入孔３３１が形成されている。タンクカバー４７が開放されている状態において、タンクカバー４７は平面視においてジャムカバー３３の挿入孔３３１と重合する。【選択図】図５
2019089214.tif 000002
【特許請求の範囲】
【請求項１】
液体を用いて記録媒体に情報を記録する記録装置であって、
第１収容部及び第２収容部を有する本体と、
前記第１収容部内に収容され、移動しながら記録媒体に向けて液体を吐出する記録部と、
前記第１収容部内に収容され、前記記録部の位置の検出に用いられるエンコーダスケールと、
前記第２収容部内に収容され、前記記録部が吐出する液体を貯留する液体貯留部と、
前記第１収容部の開口部を開閉する第１カバーと、
前記第２収容部の開口部を開閉する第２カバーと、を備え、
前記第１カバーは、ユーザが前記第１カバーを開閉させる際に手指を挿入する挿入孔が形成され、
前記第２カバーが開放されている状態において、前記第２カバーは平面視において前記第１カバーの挿入孔と重合する、記録装置。
【請求項２】
前記記録部は、
前記記録媒体の詰まりが生じている場合は、平面視において前記挿入孔と重合しない位置に配置され、
前記記録媒体の詰まりが生じていない場合は、平面視において前記挿入孔と重合する位置に配置される、請求項１に記載の記録装置。
【請求項３】
前記第１カバーは、前記第２カバー側に向かって突出する突起を有し、
前記第２カバーは、前記第１カバー寄りの部位に凹部を有し、
前記第２カバーが開放されている状態において、前記凹部は前記突起の移動を妨げる、請求項１又は２に記載の記録装置。
【請求項４】
前記第１カバーの開閉状態を検知する第１カバー検知部と、
前記第２カバーの開閉状態を検知する第２カバー検知部と、
警報を発する報知部と、を備え、
前記報知部は、前記第１カバーが開放されていることを前記第１カバー検知部が検知し、且つ、前記第２カバーが開放されていることを前記第２カバー検知部が検知した場合に、警報を発する、請求項１から３のいずれか一項に記載の記録装置。
【請求項５】
前記第１カバーの開放を許可及び禁止するロック部を備え、
前記ロック部は、前記第２カバーが閉止されている場合は前記第１カバーの開放を許可し、前記第２カバーが開放されている場合は前記第１カバーの開放を禁止する、請求項１，２及び４のいずれか一項に記載の記録装置。
【請求項６】
液体を用いて記録媒体に情報を記録する記録装置であって、
第１収容部及び第２収容部を有する本体と、
前記第１収容部内に収容され、移動しながら記録媒体に向けて液体を吐出する記録部と、
前記第１収容部内に収容され、前記記録部の位置の検出に用いられるエンコーダスケールと、
前記第２収容部内に収容され、前記記録部が吐出する液体を貯留する液体貯留部と、
前記第１収容部の開口部を開閉する第１カバーと、
前記本体に対して回動することにより前記第１カバーを遮蔽及び開放する本体カバーと、を備え、
前記本体カバーと前記第１カバーとは、リンク機構により互いに連結され、
前記本体カバーと前記本体とが成す角度が所定の閾値以下である場合は、前記リンク機構は前記第１カバーに作用せず、
前記本体カバーと前記本体とが成す角度が所定の閾値よりも大きい場合は、前記本体カバーは前記リンク機構を介して前記第１カバーを吊り上げて開放させる、記録装置。
【請求項７】
前記第２収容部の開口部を開閉する第２カバーを備え、
前記本体カバーは、さらに、前記第２カバーを遮蔽及び開放する、請求項６に記載の記録装置。
【請求項８】
液体を用いて記録媒体に情報を記録する記録装置であって、
第１収容部及び第２収容部を有する本体と、
前記第１収容部内に収容され、移動しながら記録媒体に向けて液体を吐出する記録部と、
前記第１収容部内に収容され、前記記録部の位置の検出に用いられるエンコーダスケールと、
前記第２収容部内に収容され、前記記録部が吐出する液体を貯留する液体貯留部と、
前記第１収容部の開口部を開閉する第１カバーと、
前記第２収容部の開口部を開閉する第２カバーと、
前記第１カバーの開放を許可及び禁止するロック部を備え、
前記ロック部は、前記第２カバーが閉止されている場合は前記第１カバーの開放を許可し、前記第２カバーが開放されている場合は前記第１カバーの開放を禁止する、記録装置。
【請求項９】
液体を用いて記録媒体に情報を記録する記録装置であって、
第１収容部及び第２収容部を有する本体と、
前記第１収容部内に収容され、移動しながら記録媒体に向けて液体を吐出する記録部と、
前記第１収容部内に収容され、前記記録部の位置の検出に用いられるエンコーダスケールと、
前記第２収容部内に収容され、前記記録部が吐出する液体を貯留する液体貯留部と、
前記本体に対して回動することにより前記第１収容部の開口部を開閉する第１カバーと、
前記第２収容部の開口部を開閉する第２カバーと、を備え、
前記第１カバーは、切欠き部を有し、
前記第２カバーが開放されている状態において、前記第１カバーは、前記第２カバーが前記切欠き部内に配置されることにより回動が規制される、記録装置。
【請求項１０】
液体を用いて記録媒体に情報を記録する記録装置であって、
第１収容部及び第２収容部を有する本体と、
前記第１収容部内に収容され、移動しながら記録媒体に向けて液体を吐出する記録部と、
前記第１収容部内に収容され、前記記録部の位置の検出に用いられるエンコーダスケールと、
前記第２収容部内に収容され、前記記録部が吐出する液体を貯留する液体貯留部と、
前記本体に対して回動することにより前記第１収容部の開口部を開閉する第１カバーと、
前記第２収容部の開口部を開閉する第２カバーと、
前記第２カバーの開閉に基づいて前記第１カバーの近傍で進退する規制部材と、を備え、
前記規制部材は、前記第２カバーが閉止されている場合は前記第１カバーの近傍から退避し、前記第２カバーが開放されている場合は前記第１カバーの近傍に進出して前記第１カバーの回動を規制する、記録装置。
【発明の詳細な説明】
【技術分野】
【０００１】
本発明は、液体を用いて記録媒体に情報を記録する記録装置に関する。
【背景技術】
【０００２】
特許文献１には、記録媒体である用紙に印字や描画を行うプリンタが記載されている。当該プリンタでは、インクヘッドを有するキャリッジが移動しながら液体インクを吐出する。キャリッジの位置はエンコーダスケールを用いて検出され、検出した情報はキャリッジを移動させるモータ等の制御に用いられる。
【０００３】
キャリッジやエンコーダスケールが配置される空間の開口部には、カバーが設けられている。カバーはヒンジにより軸支され、開口部を開閉自在に覆っている。キャリッジへのインクの補充作業を行う際、ユーザは当該カバーを開放し、空間に手を入れて作業を行う。
【０００４】
インクの補充作業の際、ユーザの手指がエンコーダスケールに触れると、エンコーダスケールが汚損し、キャリッジの位置検出に悪影響を及ぼすおそれがある。そこで、特許文献１では、保護部材を備えるプリンタが提案されている。当該保護部材はエンコーダスケールの前方に進出し、エンコーダスケールを覆うように構成されている。インクの補充作業後、保護部材はエンコーダスケールの前方から退避する。
【先行技術文献】
【特許文献】
【０００５】
【特許文献１】特開２０１０−２１４８６４号公報
【発明の概要】
【発明が解決しようとする課題】
【０００６】
特許文献１記載の構成によれば、エンコーダスケールの保護が可能になるものの、保護部材の進退に用いられるスペースが必要となる。このため、特許文献１記載のプリンタは、構成が複雑になるという課題があった。
【０００７】
本発明はこのような課題に鑑みてなされたものであり、その目的は、簡単な構成ながら、ユーザがエンコーダスケールに触れることを抑制可能な記録装置を提供することにある。
【課題を解決するための手段】
【０００８】
上記課題を解決するために、本発明の一態様に係る記録装置は、第１収容部及び第２収容部を有する本体と、第１収容部内に収容され、移動しながら記録媒体に向けて液体を吐出する記録部と、第１収容部内に収容され、記録部の位置の検出に用いられるエンコーダスケールと、第２収容部内に収容され、記録部が吐出する液体を貯留する液体貯留部と、第１収容部の開口部を開閉する第１カバーと、第２収容部の開口部を開閉する第２カバーと、を備える。第１カバーは、ユーザが第１カバーを開閉させる際に手指を挿入する挿入孔が形成されている。第２カバーが開放されている状態において、第２カバーは平面視において第１カバーの挿入孔と重合する。
【０００９】
この態様によれば、記録部の周辺で記録媒体の詰まりが生じた場合、ユーザは第１カバーの挿入孔に手指を挿入し、第１カバーを開放する。つまり、第１カバーの挿入孔は、ユーザが手指を掛ける手掛かりとなる。また、液体貯留部に貯留されている液体の不足等が生じた場合、ユーザは第２カバーを開放して液体貯留部に液体を補充する。
【００１０】
また、第２カバーが開放されている状態において、第２カバーは平面視において第１カバーの挿入孔と重合する。したがって、第２カバーが開放されている状態では、ユーザが第１カバーの挿入孔にスムーズに手指を挿入することが困難になる。この結果、簡単な構成で、液体を補充する際に第１カバーが開放されることを抑制し、ユーザがエンコーダスケールに触れることを抑制できる。
【００１１】
記録部は、記録媒体の詰まりが生じている場合は、平面視において挿入孔と重合しない位置に配置され、記録媒体の詰まりが生じていない場合は、平面視において挿入孔と重合する位置に配置されてもよい。
【００１２】
この態様によれば、記録媒体の詰まりが生じていない場合は、記録部は平面視において挿入孔と重合する位置に配置されているため、ユーザの手指の挿入は記録部により妨げられる。この結果、簡単な構成で、記録媒体の詰まりが生じていない場合に第１カバーが開放されることを抑制し、ユーザがエンコーダスケールに触れることを抑制できる。
【００１３】
第１カバーは、第２カバー側に向かって突出する突起を有し、第２カバーは、第１カバー寄りの部位に凹部を有し、第２カバーが開放されている状態において、凹部は突起の移動を妨げてもよい。
【００１４】
この態様によれば、第２カバーが開放されている状態において、ユーザが第１カバーを開放しようとすると、第１カバーの突起の移動が第２カバーの凹部により妨げられる。この結果、簡単な構成で、液体を補充する際に第１カバーが開放されることを抑制し、ユーザがエンコーダスケールに触れることを抑制できる。
【００１５】
記録装置は、第１カバーの開閉状態を検知する第１カバー検知部と、第２カバーの開閉状態を検知する第２カバー検知部と、警報を発する報知部と、を備え、報知部は、第１カバーが開放されていることを第１カバー検知部が検知し、且つ、第２カバーが開放されていることを第２カバー検知部が検知した場合に、警報を発してもよい。
【００１６】
この態様によれば、第２カバーが開放されている状態において、第１カバーが開放されると、報知部が警報を発する。したがって、液体を補充する際にユーザが第１カバーを開放すると警報が発せられる。当該警報は、ユーザに第１カバーの閉止を促すものであれば、その形態は音、音声、表示等、種々のものを採用することができる。これにより、複雑な構成を用いることなく、液体を補充する際に第１カバーが開放されることを抑制し、ユーザがエンコーダスケールに触れることを抑制できる。
【００１７】
記録装置は、第１カバーの開放を許可及び禁止するロック部を備え、ロック部は、第２カバーが閉止されている場合は第１カバーの開放を許可し、第２カバーが開放されている場合は第１カバーの開放を禁止してもよい。
【００１８】
この態様によれば、ユーザは、液体を補充する際以外は第１カバーを開放することができる一方で、液体を補充する際は第１カバーを開放することができない。この結果、ロック部という簡単な構成で、液体を補充する際にユーザがエンコーダスケールに触れることを抑制できる。
【００１９】
本発明の別の態様に係る記録装置は、第１収容部及び第２収容部を有する本体と、第１収容部内に収容され、移動しながら記録媒体に向けて液体を吐出する記録部と、第１収容部内に収容され、記録部の位置の検出に用いられるエンコーダスケールと、第２収容部内に収容され、記録部が吐出する液体を貯留する液体貯留部と、第１収容部の開口部を開閉する第１カバーと、本体に対して回動することにより第１カバーを遮蔽及び開放する本体カバーと、を備える。本体カバーと第１カバーとは、リンク機構により互いに連結される。本体カバーと本体とが成す角度が所定の閾値以下である場合は、リンク機構は第１カバーに作用しない。本体カバーと本体とが成す角度が所定の閾値よりも大きい場合は、本体カバーはリンク機構を介して第１カバーを吊り上げて開放させる。
【００２０】
この態様によれば、本体カバーと本体とが成す角度が所定の閾値以下である範囲に本体カバーが配置されている場合、リンク機構は第１カバーに作用せず、第１カバーが開放されることは無い。ユーザが、本体カバーと本体とが成す角度が所定の閾値よりも大きくなるように本体カバーを回動させると、第１カバーはリンク機構を介して本体カバーにより吊り上げられ、開放される。したがって、この構成によれば、ユーザは、本体カバーを大きく回動させなければ第１カバーを開放することができないため、駆動源等の動力を用いることなく、ユーザがエンコーダスケールに触れることを簡単な構成で抑制できる。
【００２１】
この態様に係る記録装置は、第２収容部の開口部を開閉する第２カバーを備え、本体カバーは、さらに、第２カバーを遮蔽及び開放してもよい。
【００２２】
この態様によれば、本体カバーは第２カバーを覆うため、液体を補充する際にユーザがエンコーダスケールに触れることを抑制できる。
【００２３】
本発明の別の態様に係る記録装置は、第１収容部及び第２収容部を有する本体と、第１収容部内に収容され、移動しながら記録媒体に向けて液体を吐出する記録部と、第１収容部内に収容され、記録部の位置の検出に用いられるエンコーダスケールと、第２収容部内に収容され、記録部が吐出する液体を貯留する液体貯留部と、第１収容部の開口部を開閉する第１カバーと、第２収容部の開口部を開閉する第２カバーと、第１カバーの開放を許可及び禁止するロック部を備えている。ロック部は、第２カバーが閉止されている場合は第１カバーの開放を許可し、第２カバーが開放されている場合は第１カバーの開放を禁止する。
【００２４】
この態様によれば、ユーザは、液体を補充する際以外は第１カバーを開放することができる一方で、液体を補充する際は第１カバーを開放することができない。この結果、液体を補充する際にユーザがエンコーダスケールに触れることを抑制できる。
【００２５】
本発明の別の態様に係る記録装置は、第１収容部及び第２収容部を有する本体と、第１収容部内に収容され、移動しながら記録媒体に向けて液体を吐出する記録部と、第１収容部内に収容され、記録部の位置の検出に用いられるエンコーダスケールと、第２収容部内に収容され、記録部が吐出する液体を貯留する液体貯留部と、本体に対して回動することにより第１収容部の開口部を開閉する第１カバーと、第２収容部の開口部を開閉する第２カバーと、を備える。第１カバーは、切欠き部を有する。第２カバーが開放されている状態において、第１カバーは、第２カバーが切欠き部内に配置されることにより回動が規制される。
【００２６】
この態様によれば、ユーザは、液体を補充する際は第１カバーを開放することができない。この結果、簡単な構成で、液体を補充する際にユーザがエンコーダスケールに触れることを抑制できる。
【００２７】
本発明の別の態様に係る記録装置は、第１収容部及び第２収容部を有する本体と、第１収容部内に収容され、移動しながら記録媒体に向けて液体を吐出する記録部と、第１収容部内に収容され、記録部の位置の検出に用いられるエンコーダスケールと、第２収容部内に収容され、記録部が吐出する液体を貯留する液体貯留部と、本体に対して回動することにより第１収容部の開口部を開閉する第１カバーと、第２収容部の開口部を開閉する第２カバーと、第２カバーの開閉に基づいて第１カバーの近傍で進退する規制部材と、を備える。規制部材は、第２カバーが閉止されている場合は第１カバーの近傍から退避し、第２カバーが開放されている場合は第１カバーの近傍に進出して第１カバーの回動を規制する。
【００２８】
ユーザは、液体を補充する際は、規制部材により第１カバーの回動が規制されるため、第１カバーを開放することができない。この結果、簡単な構成で、液体を補充する際にユーザがエンコーダスケールに触れることを抑制できる。
【発明の効果】
【００２９】
本発明によれば、簡単な構成ながら、ユーザがエンコーダスケールに触れることを抑制可能な記録装置を提供することができる。
【図面の簡単な説明】
【００３０】
【図１】第１実施形態に係る記録装置を示す斜視図である。
【図２】図１の記録装置を示す斜視図である。
【図３】図１の記録装置を示す斜視図である。
【図４】図１の記録装置を示す平面図である。
【図５】図１の記録装置を示す平面図である。
【図６】図５のＶＩ−ＶＩ断面を示す断面図である。
【図７】第２実施形態に係る記録装置を示す斜視図である。
【図８】図７の記録装置を示す平面図である。
【図９】図７の記録装置を示す斜視図である。
【図１０】第３実施形態に係る記録装置を示す斜視図である。
【図１１】図１０の記録装置を示す平面図である。
【図１２】図１１のＸＩＩ−ＸＩＩ断面を示す断面図である。
【図１３】図１１のＸＩＩ−ＸＩＩ断面を示す断面図である。
【図１４】第４実施形態に係る記録装置を示す斜視図である。
【図１５】図１４のＸＶ−ＸＶ断面を示す断面図である。
【図１６】図１４のＸＶ−ＸＶ断面を示す断面図である。
【図１７】図１４の記録装置を示す斜視図である。
【図１８】図１４のＸＶ−ＸＶ断面を示す断面図である。
【図１９】第５実施形態に係る記録装置を示す斜視図である。
【図２０】図１９の記録装置を示す斜視図である。
【図２１】図１９の記録装置を示す斜視図である。
【図２２】図２１のＸＸＩＩ−ＸＸＩＩ断面を示す断面図である。
【図２３】第６実施形態に係る記録装置を示す斜視図である。
【図２４】図２３の記録装置を示す斜視図である。
【図２５】図２４のＸＸＶ部を示す拡大図である。
【図２６】第７実施形態に係る記録装置を示す斜視図である。
【図２７】図２６の記録装置を示す斜視図である。
【図２８】図２６の記録装置を示す斜視図である。
【図２９】図２８のＸＸＩＸ部を示す拡大図である。
【発明を実施するための形態】
【００３１】
以下、添付図面を参照しながら実施形態について説明する。説明の理解を容易にするため、各図面において同一の構成要素に対しては可能な限り同一の符号を付して、重複する説明は省略する。
【００３２】
＜第１実施形態＞
まず、図１から図６を参照しながら、第１実施形態に係る記録装置１について説明する。図１から図３は、記録装置１を示す斜視図である。図１は、後述するスキャナユニット５が閉止された記録装置１を示し、図２は、スキャナユニット５が開放された記録装置１を示している。図３は、スキャナユニット５及び後述するジャムカバー３３が開放された記録装置１を示している。図４及び図５は、記録装置１を示す平面図である。図４は、後述するタンクカバー４７が閉止された記録装置１を示し、図５は、タンクカバー４７が開放された記録装置１を示している。図６は、図５のＶＩ−ＶＩ断面を示す断面図である。図４から図６は、説明の理解のため、スキャナユニット５を省略している。
【００３３】
記録装置１は、スキャナ機能付きプリンタであり、複合機とも称される。記録装置１は、本体２と、スキャナユニット５と、を備えている。
【００３４】
本体２は記録装置１の筐体である。本体２の前面には表示パネル２１が設けられている。表示パネル２１は、例えば液晶パネルであり、制御装置（不図示）から受信する信号に基づいて文字、図柄等の種々の情報を表示する。表示パネル２１の下方には給紙トレイ２３が配置されている。給紙トレイ２３は、複数の用紙（不図示）を収容することができる。用紙は、本発明に係る記録媒体の一例である。
【００３５】
尚、本明細書では、図１に示される直交座標のように、表示パネル２１が向けられている方向を「前」と称し、反対方向を「後」と称する。また、鉛直上方向を「上」と称し、鉛直下方向を「下」と称する。さらに、表示パネル２１と正対して左方向を「左」と称し、右方向を「右」と称する。図２以降においても、同様の直交座標が示されている。
【００３６】
本体２の上方には、スキャナユニット５が設けられている。スキャナユニット５は、用紙等の媒体から情報を読み取る機能部であり、図２に示されるように、スキャナカバー５１と、スキャナハウジング５２と、を有している。スキャナユニット５は、その後端部近傍を中心として矢印Ａ１１で示される方向に回動することができる。また、スキャナカバー５１とスキャナハウジング５２とは、互いに離反することができるように構成されている。
【００３７】
図３に示されるように、本体２は第１収容部３を有している。第１収容部３は、本体２の内部に形成されている空間である。本体２の上面はハウジングアッパー２５により構成されており、第１収容部３の上部はこのハウジングアッパー２５によって区画形成されている。
【００３８】
第１収容部３内には、キャリッジ３５及びエンコーダスケール３７が収容されている。キャリッジ３５は、本発明に係る記録部の一例であり、１つ又は複数の記録ヘッド（不図示）を搭載している。キャリッジ３５は、モータ（不図示）の駆動に伴い、第１収容部３内で左右方向に往復移動する。
【００３９】
エンコーダスケール３７は、キャリッジ３５の位置の検出に用いられる部材である。エンコーダスケール３７は、キャリッジ３５の近傍で、左右方向に沿って延びるように配置されている。エンコーダスケール３７には所定のスリットパターンが形成されており、当該スリットパターンはフォトセンサ（不図示）により読み取られる。フォトセンサが取得する信号パルスの数をカウントすることにより、左右方向におけるキャリッジ３５の位置を検出することができる。
【００４０】
第１収容部３の開口部３１には、ジャムカバー３３が配置されている。ジャムカバー３３は本発明に係る第１カバーの一例であり、薄板形状を呈している。ジャムカバー３３は、ハウジングアッパー２５と略同一面を構成している。これにより、ジャムカバー３３を追加しても、記録装置１の高さ寸法が影響を受けることはない。ジャムカバー３３の右端には、挿入孔３３１が形成されている。挿入孔３３１の大きさは、ユーザの手指の少なくとも一部を挿入可能なものとされている。また、ジャムカバー３３の前端には、突起３３３が形成されている。ジャムカバー３３は、透明もしくは半透明であってもよい。この場合、第１収容部３内において用紙の詰まりが生じている場合に、ジャムカバー３３を介してそれを確認することが可能になる。
【００４１】
尚、挿入孔３３１は切欠き形状を呈しているが、本発明に係る挿入孔はこの形状に限定されない。本発明に係る挿入孔は、ユーザの手指の少なくとも一部を挿入可能な形状であれば、ジャムカバー３３の端部から離間した位置でジャムカバー３３を貫通する孔であってもよい。
【００４２】
図３に示されるように、ジャムカバー３３は、その後端部近傍でハウジングアッパー２５に軸支され、矢印Ａ１２で示される方向に回動することができる。これにより、ジャムカバー３３は、図２に示されるように開口部３１を閉止し、キャリッジ３５やエンコーダスケール３７を遮蔽することができる。また、ジャムカバー３３は、図３に示されるように開口部３１を開放し、キャリッジ３５やエンコーダスケール３７を露出させることができる。開口部３１が開放されている状態を維持するため、ジャムカバー３３と係合する突起をハウジングアッパー２５に設けてもよい。
【００４３】
また、本体２は、第２収容部４を有している。第２収容部４は、本体２の右前端に形成されている空間である。図５に示されるように、第２収容部４内には、インクカートリッジ４５が収容されている。インクカートリッジ４５は、その内部にインクを貯留している。インクカートリッジ４５は本発明に係る液体貯留部の一例であり、インクは本発明に係る液体の一例である。インクカートリッジ４５に貯留されているインクは、チューブ等のインク供給機構（不図示）により、第１収容部３内のキャリッジ３５に供給される。
【００４４】
第２収容部４の開口部４１には、タンクカバー４７が配置されている。タンクカバー４７は、本発明に係る第２カバーの一例である。タンクカバー４７は、ジャムカバー３３寄りの部位に凹部４７１を有している。図４に示されるように、凹部４７１は、左右方向においてジャムカバー３３の突起３３３と対応する位置に、タンクカバー４７の後端から前方に向かって凹設されている。
【００４５】
タンクカバー４７は、その後端部近傍で本体２に軸支され、図３に矢印Ａ１３で示される方向に回動することができる。これにより、タンクカバー４７は、図４に示されるように開口部４１を閉止し、インクカートリッジ４５を遮蔽することができる。また、タンクカバー４７は、図５に示されるように開口部４１を開放し、インクカートリッジ４５を露出させることができる。
【００４６】
次に、記録装置１の動作について説明する。給紙トレイ２３に収容されている用紙は、１枚ずつ、キャリッジ３５の下方を前後方向に通過するように搬送される。キャリッジ３５は、左右方向に往復移動するとともに、インクカートリッジ４５から供給されるインクを用紙に向けて吐出する。これにより、用紙に文字や図柄が記録される。
【００４７】
インクカートリッジ４５のインクが無くなった場合、ユーザは、タンクカバー４７を開放し、インクカートリッジ４５にインクを補充する。尚、本発明に係るインクの補充は、このような形態に限定されない。例えば、空になったインクカートリッジ４５を第２収容部４内から取り出すとともに、インクが充填されている新たなインクカートリッジ４５を第２収容部４内に配置してもよい。本明細書における「インクの補充」とは、インクカートリッジ４５へのインクの補充と、インクカートリッジ４５の交換と、の双方を含むものとする。
【００４８】
また、記録装置１は、スキャナユニット５により、用紙等の媒体から情報を読み取ることができる。具体的には、スキャナユニット５は、スキャナカバー５１とスキャナハウジング５２との間に配置される用紙等に光を照射し、その透過光を撮像素子により電気信号に変換する。当該電気信号は変換回路（不図示）によりデジタルデータに変換され、さらに論理回路により外部フェース信号に変換された後に、外部機器に送信される。
【００４９】
第１収容部３内における用紙の詰まり（つまり、用紙が前後方向に搬送されなくなる状態）は、不図示の検出機構により検出される。制御装置は、当該検出機構により用紙の詰まりが検出されると、用紙の詰まりが生じていることを表示パネル２１に表示し、詰まった用紙の取出しをユーザに促す。
【００５０】
表示パネル２１を見たユーザは、ジャムカバー３３の挿入孔３３１に手指を挿入する。ユーザは、挿入した手指を挿入孔３３１に掛け、引き上げることによりジャムカバー３３を開放する。ユーザは開口部３１から第１収容部３内に手指を挿入し、詰まった用紙を摘まんで排出する。
【００５１】
前述したように、ユーザがジャムカバー３３を開放すると、キャリッジ３５やエンコーダスケール３７が露出する。ユーザがエンコーダスケール３７に無為に触れると、エンコーダスケール３７が汚損し、キャリッジ３５の位置検出に悪影響を及ぼすおそれがある。このため、ジャムカバー３３が開放されるのは、用紙の詰まりが生じた場合などに限定することが好ましい。
【００５２】
そこで、記録装置１は、図５に示されるように、タンクカバー４７が開放されている状態において、タンクカバー４７が平面視においてジャムカバー３３の挿入孔３３１と重合するように構成されている。したがって、インクを補充するためにタンクカバー４７が開放されている状態では、ユーザがジャムカバー３３の挿入孔３３１にスムーズに手指を挿入することが困難になる。この結果、インクを補充する際にジャムカバー３３が開放されることを抑制し、ユーザがエンコーダスケール３７に触れることを抑制できる。
【００５３】
また、記録装置１は、タンクカバー４７が開放されている状態において、タンクカバー４７の凹部４７１が、ジャムカバー３３の突起３３３の移動を妨げるように構成されている。具体的には、図６に示されるように、開放されているタンクカバー４７の凹部４７１が、ジャムカバー３３の突起３３３に重なるように配置される。
【００５４】
この構成によれば、タンクカバー４７が開放されている状態において、ユーザがジャムカバー３３を回動させて開こうとすると、ジャムカバー３３の突起３３３がタンクカバー４７の凹部４７１と干渉し、移動が妨げられる。この結果、インクを補充する際にジャムカバー３３が開放されることを抑制し、ユーザがエンコーダスケール３７に触れることを抑制できる。
【００５５】
また、制御部は、用紙の詰まりが生じている場合は、平面視において挿入孔３３１と重合しない位置にキャリッジ３５を配置し、静止させる。一方、用紙の詰まりが生じておらず、記録装置１が非動作中の場合は、制御部は、図４に示されるように平面視において挿入孔３３１と重合する位置にキャリッジ３５を配置し、静止させる。
【００５６】
これにより、用紙の詰まりが生じていない場合は、キャリッジ３５は平面視において挿入孔３３１と重合する位置に配置されているため、ユーザの手指の挿入はキャリッジ３５により妨げられる。この結果、用紙の詰まりが生じていない場合にジャムカバー３３が開放されることを抑制し、ユーザがエンコーダスケール３７に触れることを抑制できる。
【００５７】
＜第２実施形態＞
次に、第２実施形態に係る記録装置１ａについて、図７から図９を参照しながら説明する。記録装置１ａの構成のうち、第１実施形態に係る記録装置１の構成と同一のものには同一の符号を付し、説明を適宜省略する。
【００５８】
図７は、記録装置１ａを示す斜視図である。図８は、記録装置１ａを示す平面図である。図７及び図８は、前述したスキャナユニット５に相当する部品を省略している。図９は、記録装置１ａを示す斜視図であり、本体２の一部を省略し、後述するジャムカバーセンサ６の周辺を示している。
【００５９】
記録装置１ａのジャムカバー３３ａは、その左前端に突片３３６を有している。突片３３６は平面視で略矩形を呈しており、その厚みは、ジャムカバー３３ａの他の部位よりも小さい。図７及び図９に示されるように、突片３３６の下面には、下方に突出する検知片３３７が形成されている。
【００６０】
また、図７に示されるように、ハウジングアッパー２５ａの左前端の上面には、凹部２５１が形成されている。凹部２５１は平面視で矩形を呈している。さらに、凹部２５１には、鉛直方向にハウジングアッパー２５ａを貫通する孔２５３が形成されている。
【００６１】
ジャムカバー３３ａは、その後端部近傍でハウジングアッパー２５ａに軸支され、図７に矢印Ａ２１で示される方向に回動することができる。これにより、ジャムカバー３３ａは、図８に示されるように開口部３１を閉止し、キャリッジ３５やエンコーダスケール３７を遮蔽することができる。また、ジャムカバー３３ａは、図７に示されるように開口部３１を開放し、キャリッジ３５やエンコーダスケール３７を露出させることができる。
【００６２】
ジャムカバー３３ａが閉止されている場合、突片３３６はハウジングアッパー２５ａの凹部２５１内に配置される。このとき、突片３３６の下面の検知片３３７が、孔２５３に挿入される。
【００６３】
記録装置１ａは、本体２の内部、且つ、孔２５３の下方に、図９に示されるジャムカバーセンサ６を備えている。ジャムカバーセンサ６１は、本発明に係る第１カバー検知部の一例である。ジャムカバーセンサ６１は、基板６２と、発光部６３と、受光部６４と、を有している。基板６２は、その表面に所定パターンの回路が配設されたプリント基板である。発光部６３及び受光部６４は、基板６２に実装され、互いに間隔を空けて対向している。
【００６４】
ジャムカバー３３ａが閉止されている場合、その検知片３３７はハウジングアッパー２５ａの孔２５３を挿通し、図９に示されるように発光部６３と受光部６４との間に配置される。ジャムカバーセンサ６１は、発光部６３が発した光が検知片３３７により遮られ、受光部６４が受光しないことにより、ジャムカバー３３ａが閉止されていることを検知する。また、検知片３３７が発光部６３と受光部６４との間から離脱した場合、発光部６３が発した光は検知片３３７により遮られることなく受光部６４に達する。ジャムカバーセンサ６１は、これに基づいてジャムカバー３３ａが開放されていることを検知する。ジャムカバーセンサ６１が検知した情報は、信号として制御装置（不図示）に送信される。
【００６５】
記録装置１ａは、本体２の内部、且つ、タンクカバー４７ａの後方に、タンクカバー４７ａの開閉状態を検知するタンクカバーセンサ（不図示）を備えている。タンクカバーセンサは、本発明に係る第２カバー検知部の一例である。タンクカバーセンサとして、例えば、前述したジャムカバーセンサ６１と同様に一対の発光部と受光部を有するものを採用することができる。タンクカバーセンサが検知した情報は、信号として制御装置に送信される。
【００６６】
記録装置１ａの制御装置は、ジャムカバー３３ａ及びタンクカバー４７の開閉状態に基づいて、ユーザに向けて警報を発する。具体的には、制御装置は、ジャムカバー３３ａ及びタンクカバー４７の双方が開放されている場合のみ、例えば「ジャムカバーが開かれました。詰まった用紙を取り除く以外の用途では、ジャムカバーを開けないでください」等の文字情報を表示パネル２１に表示させる。これにより、インクを補充する際にジャムカバー３３ａが開放されることを抑制し、ユーザがエンコーダスケール３７に触れることを抑制できる。
【００６７】
尚、本発明に係る警報の形態は、このような表示パネル２１による文字情報に限定されない。例えば、記録装置１ａにスピーカを搭載し、ユーザへの警報として、当該スピーカからビープ音や音声を発してもよい。また、本発明に係る第１カバー検知部の検知方式は、このような透過式のものに限定されない。例えば、検知方式として、非接触反射式、メカ接点式、超音波式等を用いてもよい。
【００６８】
＜第３実施形態＞
次に、第３実施形態に係る記録装置１ｂについて、図１０から図１３を参照しながら説明する。記録装置１ｂの構成のうち、第１実施形態に係る記録装置１の構成と同一のものには同一の符号を付し、説明を適宜省略する。
【００６９】
図１０は、記録装置１ｂを示す斜視図である。図１１は、記録装置１ｂを示す平面図である。図１０及び図１１は、前述したスキャナユニット５に相当する部品を省略している。図１２及び図１３は、図１１のＸＩＩ−ＸＩＩ断面を示す断面図である。図１２は、後述するジャムカバー３３ｂの開放が許可されている記録装置１ｂを示し、図１３は、ジャムカバー３３ｂの開放が禁止されている記録装置１ｂを示している。
【００７０】
図１０に示されるように、記録装置１ｂのジャムカバー３３ｂは、その左右方向における略中央部であって、且つ、その前端に、係止片３３８を有している。係止片３３８は、前方に突出するともに、その先端部が下方に屈曲している。
【００７１】
また、ハウジングアッパー２５ｂの左右方向における略中央部には、切欠き２５５が形成されている。切欠き２５５は平面視で矩形を呈している。
【００７２】
ジャムカバー３３ｂは、その後端部近傍でハウジングアッパー２５ｂに軸支され、図１０に矢印Ａ３１で示される方向に回動することができる。これにより、ジャムカバー３３ｂは、図１１に示されるように開口部３１を閉止し、キャリッジ３５やエンコーダスケール３７を遮蔽することができる。また、ジャムカバー３３ｂは、図１０に示されるように開口部３１を開放し、キャリッジ３５やエンコーダスケール３７を露出させることができる。
【００７３】
ジャムカバー３３ｂが閉止されている場合、係止片３３８はハウジングアッパー２５ｂの切欠き２５５内に配置される。このとき、係止片３３８の先端部は、ハウジングアッパー２５ｂの下方に配置される。
【００７４】
図１２に示されるように、記録装置１ｂは、本体２の内部にロック部７を備えている。ロック部７は、レバー７１と、内部カバー７２と、ばね７３と、可動部７４と、磁石７５と、コイル７６と、を有している。
【００７５】
レバー７１は、側面視で略円弧形状を呈している。レバー７１の下端は軸７１１に軸支されており、レバー７１は軸７１１を中心として前後方向に回動できる。レバー７１は、コイルばねであるばね７３を介して、内部カバー７２と連結されている。ばね７３は、その復元力により、後方に向かう力をレバー７１に付与している。
【００７６】
レバー７１のうち、軸７１１の近傍の部位には、左方に突出するピン７１３が設けられている。レバー７１は、このピン７１３において可動部７４に連結されている。可動部７４は強磁性体であり、磁石７５の磁力が作用する位置に配置されている。コイル７６は、電線を捲回することにより構成されており、記録装置１ｂの制御装置（不図示）から電力の供給を受ける。
【００７７】
第１収容部３内における用紙の詰まりは、不図示の検出機構により検出される。制御装置は、当該検出機構により用紙の詰まりが検出されている場合は、コイル７６に電力を供給しない。したがって、コイル７６において磁界は生成されず、図１２に示されるように、可動部７４が磁石７５に引き寄せられる。可動部７４は、ピン７１３に作用し、レバー７１をジャムカバー３３ｂの係止片３３８から離れた位置に移動させる。つまり、レバー７１は、係止片３３８の上方への移動を妨げない位置に配置される。この結果、ユーザはジャムカバー３３ｂを開放するとともに、第１収容部３内に手指を挿入し、詰まった用紙を摘まんで排出することができる。
【００７８】
一方、検出機構により用紙の詰まりが検出されていない場合は、制御装置は、コイル７６に電力を供給する。これにより、コイル７６において磁界が生成され、可動部７４が磁化される。可動部７４と磁石７５との間に斥力が生じ、可動部７４は後方に移動する。このとき、可動部７４は、ピン７１３に作用し、レバー７１をジャムカバー３３ｂの係止片３３８の上方に移動させる。つまり、レバー７１は、係止片３３８の上方への移動を妨げる位置に配置される。この結果、ジャムカバー３３ｂが開放されることを抑制できる。
【００７９】
＜第４実施形態＞
次に、第４実施形態に係る記録装置１ｃについて、図１４から図１８を参照しながら説明する。記録装置１ｃの構成のうち、第１実施形態に係る記録装置１の構成と同一のものには同一の符号を付し、説明を適宜省略する。
【００８０】
図１４及び図１７は、記録装置１ｃを示す斜視図である。図１４は、後述するスキャナユニット５ｃが閉止されている記録装置１ｃを示し、図１７は、スキャナユニット５ｃが開放されている記録装置１ｃを示している。図１５、図１６及び図１８は、図１４のＸＶ−ＸＶ断面を示す断面図である。図１５は、スキャナユニット５ｃが閉止されている状態を示し、図１６及び図１８は、スキャナユニット５ｃが開放されている状態を示している。
【００８１】
記録装置１ｃのスキャナユニット５ｃは、本発明に係る本体カバーの一例である。スキャナユニット５ｃは、スキャナカバー５１ｃと、スキャナハウジング５２ｃと、を有している。図１４に示されるように、スキャナユニット５ｃは、その後端部近傍を中心として矢印Ａ４１で示される方向に回動することができる。
【００８２】
スキャナハウジング５２ｃとジャムカバー３３とは、リンク機構８を介して互いに連結されている。図１５に示されるように、リンク機構８は、第１リンク８１と、第２リンク８２と、を有している。第１リンク８１及び第２リンク８２は、いずれも棒形状を呈している。第１リンク８１の一端はピン８４を介してスキャナハウジング５２ｃに連結され、第１リンク８１はピン８４を中心として回動することができる。また、第２リンク８２の一端はピン８８を介してジャムカバー３３に連結され、第２リンク８２はピン８８を中心として回動することができる。さらに、第１リンク８１の他端と第２リンク８２の他端とは、ピン８６を介して互いに連結されている。
【００８３】
第１リンク８１及び第２リンク８２が、ピン８４，８６，８８を中心として回動することにより、リンク機構８は、全体として屈曲及び伸長することができる。具体的には、スキャナユニット５ｃが閉止されている際、リンク機構８は、図１５に示されるように屈曲している。このとき、リンク機構８は、ハウジングアッパー２５ｃに形成されているスリット２５７内に配置されている。スリット２５７は、前後方向に沿って延び、ジャムカバー３３の右端と対向している。
【００８４】
ユーザがスキャナユニット５ｃを回動させると、スキャナユニット５ｃはピン８４を介してリンク機構８を引き上げる。これに伴い、リンク機構８はスリット２５７から退出し、伸長し始める。リンク機構８が屈曲している間（つまり、後述するようにスキャナユニット５ｃとハウジングアッパー２５ｃの上面とが成す角度がθ１となるまで）は、リンク機構８はジャムカバー３３に作用しない。
【００８５】
図１６に示されるように、スキャナユニット５ｃとハウジングアッパー２５ｃの上面とが成す角度がθ１となるまで、ユーザがスキャナユニット５ｃを回動させると、リンク機構８は伸長を終え、全体として略直線状となる。すなわち、ピン８４，８６，８８が、略同一直線上に並ぶように配置される。スキャナユニット５ｃは、ハウジングアッパー２５ｃの上面と成す角度がθ１となった際に仮固定される。つまり、ユーザがスキャナユニット５ｃから手を離しても、スキャナユニット５ｃは静止し、当該角度はθ１のまま維持される。
【００８６】
ユーザがスキャナユニット５ｃをさらに回動させると、ピン８８を介してリンク機構８と連結しているジャムカバー３３が吊り上げられ、第１収容部３が開放される。すなわち、図１７及び図１８に示されるように、スキャナユニット５ｃとハウジングアッパー２５ｃの上面とが成す角度がθ１よりも大きいθ２になった場合、リンク機構８はジャムカバー３３を開放させるように作用する。
【００８７】
この態様によれば、スキャナユニット５ｃとハウジングアッパー２５ｃとが成す角度がθ１以下である範囲にスキャナユニット５ｃが配置されている場合、リンク機構８はジャムカバー３３に作用せず、ジャムカバー３３が開放されることは無い。ユーザが、スキャナユニット５ｃとハウジングアッパー２５ｃとが成す角度がθ１よりも大きくなるようにスキャナユニット５ｃを回動させると、ジャムカバー３３はリンク機構８を介してスキャナユニット５ｃにより吊り上げられ、開放される。したがって、ユーザはスキャナユニット５ｃを大きく回動させなければジャムカバー３３を開放することができないため、ユーザがエンコーダスケール３７に触れることを抑制できる。また、スキャナユニット５ｃを、ハウジングアッパー２５ｃの上面と成す角度がθ１となった際に仮固定されるように構成することにより、第１収容部３内において用紙の詰まりが生じている場合以外に、ユーザによりジャムカバー３３が開放されることを抑制できる。
【００８８】
＜第５実施形態＞
次に、第５実施形態に係る記録装置１ｄについて、図１９から図２２を参照しながら説明する。記録装置１ｄの構成のうち、第１実施形態に係る記録装置１の構成と同一のものには同一の符号を付し、説明を適宜省略する。
【００８９】
図１９から図２１は、記録装置１ｄを示す斜視図である。図１９は、後述するスキャナユニット５ｄが閉止されている記録装置１ｄを示し、図２０は、スキャナユニット５ｄが開放されている記録装置１ｄを示している。図２１は、スキャナユニット５ｄが閉止され、タンクカバー４７ｄが開放されている記録装置１ｄを示している。図２２は、図２１のＸＸＩＩ−ＸＸＩＩ断面を示す断面図である。
【００９０】
記録装置１ｄのスキャナユニット５ｄは、本発明に係る第１カバーの一例である。すなわち、記録装置１ｄは、前述した他の実施形態と異なり、ジャムカバー３３（図２等参照）を備えていない。記録装置１ｄは、図２０に示されるように、スキャナユニット５ｄがその後端部近傍を中心として矢印Ａ５１で示される方向に回動することにより、第１収容部３の開口部３１を開閉する。
【００９１】
図２０に示されるように、スキャナユニット５ｄは、スキャナカバー５１ｄと、スキャナハウジング５２ｄと、を有している。スキャナハウジング５２ｄは、その左右方向における略中央部であって、且つ、その前端に、係止片５２１を有している。係止片５２１は、前方に突出するともに、その先端部が下方に屈曲している。
【００９２】
スキャナユニット５ｄが閉止されている場合、係止片５２１はハウジングアッパー２５ｄの切欠き２５５内に配置される。このとき、係止片５２１の先端部が、ハウジングアッパー２５ｄの下方に配置される。
【００９３】
第２収容部４ｄの開口部４１ｄには、タンクカバー４７ｄが配置されている。タンクカバー４７ｄは本発明に係る第２カバーの一例である。タンクカバー４７ｄは、スキャナユニット５ｄの左前端寄りの部位に切欠き４７３を有している。切欠き４７３は、スキャナユニット５ｄの左前端と対応する形状を呈している。これにより、タンクカバー４７ｄは、スキャナユニット５ｄが閉止されている場合でも、図２１に矢印Ａ５２で示される方向に回動することにより、第２収容部４ｄの開口部４１ｄを開閉することができる。
【００９４】
図２２に示されるように、記録装置１ｄは、本体２の内部にロック部７ｄを備えている。ロック部７ｄは、レバー７１ｄと、内部カバー７２ｄと、ばね７３ｄと、可動部７４ｄと、磁石７５ｄと、コイル７６ｄと、を有している。ロック部７ｄは、前述した第３実施形態に係るロック部７と同様に、制御装置がコイル７６ｄへの電力供給を制御することにより、レバー７１ｄを移動させる。
【００９５】
第１収容部３内における用紙の詰まりは、不図示の検出機構により検出される。制御装置は、当該検出機構により用紙の詰まりが検出されている場合は、コイル７６ｄに電力を供給しない。したがって、コイル７６ｄにおいて磁界は生成されず、レバー７１ｄは、係止片５２１の上方への移動を妨げない位置に配置される。この結果、ユーザはスキャナユニット５ｄを開放するとともに、第１収容部３内に手指を挿入し、詰まった用紙を摘まんで排出することができる。
【００９６】
一方、検出装置により用紙の詰まりが検出されていない場合は、制御装置は、コイル７６ｄに電力を供給する。これにより、コイル７６ｄにおいて磁界が生成され、可動部７４ｄが磁化される。可動部７４ｄと磁石７５ｄとの間に斥力が生じ、図２２に示されるように、可動部７４ｄは後方に移動する。このとき、可動部７４ｄは、ピン７１３ｄに作用してレバー７１ｄを後方に回動させ、レバー７１ｄをスキャナユニット５ｄの係止片５２１の上方に移動させる。つまり、レバー７１ｄは、係止片５２１の上方への移動を妨げる位置に配置される。この結果、スキャナユニット５ｄが開放されることを抑制できる。
【００９７】
また、図２１に示されるように、タンクカバー４７ｄが開放されると、スキャナユニット５ｄの右前端がタンクカバー４７ｄの切欠き４７３内に配置される。このため、タンクカバー４７ｄの一部がスキャナユニット５ｄの上方に配置され、スキャナユニット５ｄの上方への移動が妨げられる。この結果、スキャナユニット５ｄが開放されることを抑制できる。
【００９８】
この態様によれば、ユーザは、インクを補充する際はスキャナユニット５ｄを開放することができない。この結果、インクを補充する際にユーザがエンコーダスケール３７に触れることを抑制できる。
【００９９】
＜第６実施形態＞
次に、第６実施形態に係る記録装置１ｅについて、図２３から図２５を参照しながら説明する。記録装置１ｅの構成のうち、第１実施形態に係る記録装置１の構成と同一のものには同一の符号を付し、説明を適宜省略する。
【０１００】
図２３及び図２４は、記録装置１ｅを示す斜視図であり、前述したスキャナユニット５に相当する部品を省略している。図２３は、後述するジャムカバー３３ｅが開放された記録装置１ｅを示しており、図２４は、後述するタンクカバー４７ｅが開放された記録装置１ｅを示している。図２５は、図２４のＸＸＶ部を示す拡大図である。
【０１０１】
記録装置１ｅのジャムカバー３３ｅは、本体２の前面に設けられている。ジャムカバー３３ｅは、本発明に係る第１カバーの一例である。また、図２３に示されるように、第１収容部３の開口部３１ｅも、本体２の前面に設けられている。ジャムカバー３３ｅは、その下端部近傍を中心として矢印Ａ６１で示される方向に回動することにより、第１収容部３の開口部３１ｅを開閉する。
【０１０２】
記録装置１ｅのタンクカバー４７ｅは、本発明に係る第２カバーの一例である。タンクカバー４７ｅは、その後端部近傍で本体２に軸支され、図２４に矢印Ａ６２で示される方向に回動することにより、第２収容部４の開口部４１を開閉する。
【０１０３】
図２５に示されるように、開口部４１の内部には、ロックピン９１及びばね収容部９２が設けられている。ロックピン９１は、本発明に係る規制部材の一例である。ロックピン９１の上面は、左方に下り勾配となるように傾斜している。また、ロックピン９１の後面は平坦であり、鉛直方向に沿って延びるように形成されている。ばね収容部９２は、ロックピン９１の右端を保持するとともに、その内部にばね（不図示）を収容している。当該ばねは、ロックピン９１を左方に付勢している。
【０１０４】
ロックピン９１は、外力を受けることにより、ばね収容部９２内に収容されているばねを伸縮させながら、左右方向に移動することができる。具体的には、図２５に示されるように、ロックピン９１は、開口部４１よりも左方に突出するように位置することができる。また、ロックピン９１は、ばねを圧縮し、ばね収容部９２内に進入しながら右方に移動することができる。
【０１０５】
図２３に示されるように、タンクカバー４７ｅが閉止されている場合、ロックピン９１はタンクカバー４７ｅの内側面と当接する。これにより、ロックピン９１は右方に押され、ばね収容部９２内に配置される。この結果、第１収容部３内において用紙の詰まりが生じている場合に、ユーザはロックピン９１に妨げられることなくジャムカバー３３ｅを開放することができる。ユーザは開口部３１ｅから第１収容部３内に手指を挿入し、詰まった用紙を摘まんで排出する。
【０１０６】
一方、図２４及び図２５に示されるように、タンクカバー４７ｅが開放されている場合、ロックピン９１とタンクカバー４７ｅの内側面との当接が解除される。ロックピン９１は、ばねの付勢により左方に移動し、ジャムカバー３３ｅの前方に配置される。この状態でユーザがジャムカバー３３ｅを開放しようとしても、ジャムカバー３３ｅはロックピン９１の後面と干渉する。つまり、ロックピン９１は、ジャムカバー３３ｅの前方への移動を妨げる位置に配置される。この結果、ジャムカバー３３ｅが開放されることを抑制できる。
【０１０７】
タンクカバー４７ｅを閉止するために、ユーザがタンクカバー４７ｅを回動させると、タンクカバー４７ｅの下端がロックピン９１の上面と当接する。前述したように、ロックピン９１の上面は、左方に下り勾配となるように傾斜している。したがって、ロックピン９１の上面がタンクカバー４７ｅの下端から受ける力は、右向きの成分を有している。ロックピン９１はこの右向きの成分により右方に移動し、閉止されたタンクカバー４７ｅの内側面と当接するように配置される。
【０１０８】
この態様によれば、ユーザは、インクを補充する際はジャムカバー３３ｅを開放することができない。この結果、インクを補充する際にユーザがエンコーダスケール３７に触れることを抑制できる。
【０１０９】
＜第７実施形態＞
次に、第７実施形態に係る記録装置１ｆについて、図２６から図２９を参照しながら説明する。記録装置１ｆの構成のうち、第１実施形態に係る記録装置１の構成と同一のものには同一の符号を付し、説明を適宜省略する。
【０１１０】
図２６及び図２８は、記録装置１ｆを示す斜視図であり、前述したスキャナユニット５に相当する部品を省略している。図２６は、後述するジャムカバー３３ｆ及びタンクカバー４７ｆが閉止された記録装置１ｆを示している。図２７は、タンクカバー４７ｆのみが閉止された記録装置１ｆを示している。図２８は、ジャムカバー３３ｆのみが閉止された記録装置１ｆを示している。
【０１１１】
記録装置１ｆは、前述した他の実施形態と異なり、図２８に示されるように第２収容部４ｆがキャリッジ３５ｆに設けられている。すなわち、記録装置１ｆの第２収容部４ｆは、第１収容部３内に配置されている。第２収容部４ｆは、モータ（不図示）の駆動に伴い、キャリッジ３５とともに第１収容部３内で左右方向に往復移動する。
【０１１２】
図２８に示されるように、第２収容部４ｆの開口部４１ｆには、タンクカバー４７ｆが配置されている。タンクカバー４７ｆは、本発明に係る第２カバーの一例である。タンクカバー４７ｆは、その後端部近傍でキャリッジ３５ｆに軸支され、図２７に矢印Ａ７２で示される方向に回動することができる。これにより、タンクカバー４７ｆは、開口部４１ｆを閉止してインクカートリッジ４５を遮蔽したり、開口部４１ｆを開放してインクカートリッジ４５を露出させたりすることができる。
【０１１３】
第１収容部３の開口部３１には、ジャムカバー３３ｆが配置されている。ジャムカバー３３ｆは本発明に係る第１カバーの一例であり、薄板形状を呈している。ジャムカバー３３ｆは、その後端部近傍でハウジングアッパー２５ｆに軸支され、図２７に矢印Ａ７１で示される方向に回動することができる。これにより、ジャムカバー３３ｆは、図２６に示されるように開口部３１を閉止したり、図２７に示されるように開口部３１を開放したりすることができる。
【０１１４】
ジャムカバー３３ｆの右端には、切欠き３８が形成されている。したがって、図２６に示されるように、ジャムカバー３３ｆが閉止されている場合でも、第１収容部３の右端の一部は、切欠き３８を介して露出している。
【０１１５】
切欠き３８の幅は、タンクカバー４７ｆの幅より若干大きい。このため、ユーザは、図２８に示されるようにジャムカバー３３ｆが閉止されている場合でも、タンクカバー４７ｆを開放することができる。
【０１１６】
インクカートリッジ４５のインクが無くなった場合、ユーザは、ジャムカバー３３ｆを閉止したまま、タンクカバー４７ｆを開放する。ユーザは空になったインクカートリッジ４５を第２収容部４ｆ内から取り出すとともに、インクが充填されている新たなインクカートリッジ４５を第２収容部４ｆ内に配置する。
【０１１７】
ここで、図２９に示されるように、ジャムカバー３３ｆには突起３８１が形成されている。突起３８１は、切欠き３８において右方に突出している。ユーザがタンクカバー４７ｆを開放する際、タンクカバー４７ｆはこの突起３８１と干渉するが、撓むことにより突起３８１を越えて後方に移動する。開放されたタンクカバー４７ｆは、後方から突起３８１と当接して係合する。突起３８１は、ジャムカバー３３ｆの開放を妨げる。
【０１１８】
この態様によれば、ユーザは、インクを補充する際はジャムカバー３３ｆを開放することができない。この結果、インクを補充する際にユーザがエンコーダスケール３７に触れることを抑制できる。
【０１１９】
以上、具体例を参照しつつ本発明の実施の形態について説明した。しかし、本発明はこれらの具体例に限定されない。すなわち、これら具体例に、当業者が適宜設計変更を加えたものも、本発明の特徴を備えている限り、本発明の範囲に包含される。前述した各具体例が備える各要素及びその配置、材料、条件、形状、サイズなどは、例示したものに限定されず、適宜変更することができる。
【符号の説明】
【０１２０】
１、１ａ，１ｂ，１ｃ，１ｄ，１ｅ，１ｆ：記録装置
２：本体
３：第１収容部
３１，３１ｅ：開口部
３３，３３ａ，３３ｂ，３３ｅ，３３ｆ：ジャムカバー（第１カバー）
３３１：挿入孔
３３３：突起
３５，３５ｆ：キャリッジ
３７：エンコーダスケール
３８：切欠き
４，４ｄ，４ｆ：第２収容部
４１，４１ｄ，４１ｆ：開口部
４５：インクカートリッジ（液体貯留部）
４７，４７ａ，４７ｄ，４７ｅ，４７ｆ：タンクカバー（第２カバー）
４７１：凹部
４７３：切欠き
５ｄ：スキャナユニット（第１カバー）
６１：ジャムカバーセンサ（第１カバー検知部）
７，７ｄ：ロック部
８：リンク機構
【図１】
2019089214.tif 000003
【図２】
2019089214.tif 000004
【図３】
2019089214.tif 000005
【図４】
2019089214.tif 000006
【図５】
2019089214.tif 000007
【図６】
2019089214.tif 000008
【図７】
2019089214.tif 000009
【図８】
2019089214.tif 000010
【図９】
2019089214.tif 000011
【図１０】
2019089214.tif 000012
【図１１】
2019089214.tif 000013
【図１２】
2019089214.tif 000014
【図１３】
2019089214.tif 000015
【図１４】
2019089214.tif 000016
【図１５】
2019089214.tif 000017
【図１６】
2019089214.tif 000018
【図１７】
2019089214.tif 000019
【図１８】
2019089214.tif 000020
【図１９】
2019089214.tif 000021
【図２０】
2019089214.tif 000022
【図２１】
2019089214.tif 000023
【図２２】
2019089214.tif 000024
【図２３】
2019089214.tif 000025
【図２４】
2019089214.tif 000026
【図２５】
2019089214.tif 000027
【図２６】
2019089214.tif 000028
【図２７】
2019089214.tif 000029
【図２８】
2019089214.tif 000030
【図２９】
2019089214.tif 000031